(57)【特許請求の範囲】
【請求項１】
前方端部にノーズ状出口（３１）及び後方端部に半径方向外方に突出する突出部分（３３）を有するシリンジ胴部（３０）に沿って移動可能なプランジャ（３５）を有する種類のシリンジ（３）を収容し得るシリンジポンプにおいて、前記突出部分（３３）の一方の側面を前記ポンプの壁（３７）に掛合させ、また前記シリンジポンプは、シリンジ駆動機構（７）に連結しかつ前記シリンダ胴部（３０）の後端部で前記突出部分（３３）の反対側の側面に掛合するよう第１方向に移動可能な可動部材（４０）と、前記可動部材（４０）の位置を感知してシリンジ（３）がポンプ内に適正に位置決めされたか否かを検出するセンサ（５４）とを設けたことを特徴とするシリンジポンプ。
【請求項２】
前記シリンジ胴部の後方端部の部分を半径方向に突出する突耳（３３）とした請求項１記載のシリンジポンプ。
【請求項３】
前記可動部材（４０）に、一方の端部（４８）で枢着しかつ長さに沿う或る位置に関節継手（４５）を有するアーム（４４）を設けた請求項１または２に記載のシリンジポンプ。
【請求項４】
前記センサ（５４）に前記アーム（４４）の運動によって回動するレバー（５２）を設けた請求項３記載のシリンジポンプ。
【請求項５】
前記可動部材（４０）に、前面（４３）及びＶ字状端縁面（４２）を有するパッド（４１）を設け、前記前面（４３）をシリンジ胴部（３０）の後方端部の部分（３３）に掛合させ、前記Ｖ字状端縁面（４２）を前記プランジャ（３５）に当接させた請求項１乃至４のうちのいずれか一項に記載のシリンジポンプ。
【請求項６】
シリンジ（３）のローディングに先立って、前記可動部材（４０）を第１方向とは反対方向に移動させる請求項１乃至５のうちのいずれか一項に記載のシリンジポンプ。
【請求項７】
前記可動部材（４０）をばね（４９）によって前記第１方向に移動させる請求項１乃至６のうちのいずれか一項に記載のシリンジポンプ。
【請求項８】
前記センサを光センサ（５４）とした請求項１乃至７のうちのいずれか一項に記載のシリンジポンプ。
【発明の詳細な説明】
【０００１】
【発明の属する技術分野】
本発明は、前方端部にノーズ状出口及び後方端部に突耳を有するシリンジ胴部に沿って移動可能なプランジャを有する種類のシリンジを収容し得るシリンジポンプに関するものである。
【０００２】
【従来の技術】
シリンジポンプは患者に薬液を投与するのに使用される。シリンジには薬剤が予め充填されており、このシリンジを患者に至る注入ラインに接続する。このシリンジをシリンジポンプにローディング（装填）し、このシリンジポンプはシリンジのプランジャに力を加え、薬液を注入ラインに制御した割合で駆動する。
【０００３】
【発明が解決しようとする課題】
シリンジがポンプ内に適正にローディングされない場合、ポンプ機構に詰まりを生じ、患者への薬液投与に遅延をきたす。
【０００４】
従って、本発明の目的は、従来のシリンジポンプの欠点を改良したシリンジポンプを得るにある。
【０００５】
この目的を達成するため、本発明シリンジポンプは、前記シリンダ胴部の後端部で部分に掛合するよう第１方向に移動可能な可動部材と、前記可動部材の位置を感知してシリンジがポンプ内に適正に位置決めされたか否かを検出するセンサとを設けたことを特徴とする。
【０００６】
本発明の好適な実施例においては、前記シリンジ胴部の後方端部の部分を半径方向に突出する突耳とし、前記突耳の一方の側面をポンプの壁に掛合させ、前記可動部材を突耳の他方の側面に掛合させる。前記可動部材には、一方の端部で枢着しかつ長さに沿う或る位置に関節継手を有するアームを設けると好適である。前記センサには、前記アームの運動によって回動するレバーを設けると好適である。前記可動部材には、前面及びＶ字状端縁面を有するパッドを設け、前記前面をシリンジ胴部の後方端部の部分に掛合させ、前記Ｖ字状端縁面を前記プランジャに当接させると好適である。シリンジのローディングに先立って、前記可動部材を第１方向とは反対方向に移動させと好適である。前記可動部材をシリンジ駆動機構に連結した部材によって前記第１方向とは反対方向に移動させると好適である。前記可動部材をばねによって前記第１方向に移動させると好適である。前記センサは光センサとすると好適である。
【０００７】
【発明の実施の形態】
次に、図面につき本発明の好適な実施の形態を説明する。
【０００８】
ポンプは普通の種類のシリンジ３を収容するよう前面に形成した窪み２を設けた外側ハウジング１を有する（図１参照）。シリンジ３は、前方端部に出口部又はノーズ３１を設け、また後方端部に２個の半径方向両側に突出する突耳３３を生ずる形状の環状突出部３２を設けた円筒形の胴部３０を有する。シリンジ３は、ノーズ３１に接続した注入ライン５を経てシリンジのプランジャ３５を押し込むことによって患者に投与される薬液３４を収容する。このポンプは普通の駆動機構７、例えば、モータ９によって駆動されかつプランジャ３５のヘッド３６に掛合するプランジャ掛合機構１０に連結したリードねじ８を有する。モータ９は制御ユニット１１によって駆動され、この制御ユニット１１はキーパッド１２又は他のユーザー入力手段及び種々のセンサからの入力を受ける。制御ユニット１１はディスプレイ１３への出力も生ずる。
【０００９】
シリンジ胴部３０の突耳３３の前面側を窪み２における固定の垂直壁３７に衝合させ、突耳３３の後面側を図２に明示する可動のクランプ機構４０に接触させる。このクランプ機構４０は直立した三日月形状のパッド４１を有し、パッド４１のＶ字状上面４２がプランジャ３５の下側にくるよう位置決めし、パッド４１の前面４３を突耳３３の後面に接触させる。パッド４１をＬ字状のクランプアーム４４の一方の端部に取り付け、クランプアーム４４の曲げ部に関節継手４５を設け、パッドを取り付けたアームの前方部分４６とアームの後方部分４７との間で制御された範囲の角度運動を行うことができるようにする。アームの後方部分４７はほぼシリンジ３の軸線を横切る方向に延在し、後方端部にはシリンジの軸線に直交する垂直軸線の周りに回転できる枢着継手４８を有する。ばね４９をアーム４４に支持し、アームを上方から見て時計方向に押圧し、パッド４１がばねによって前方に引っ張られ、突耳３３を垂直壁３７にクランプするようにする。
【００１０】
アーム４４の後方部分４７の長さの中間点あたりに、垂直方向に突出するフィンガ５０を設け、このフィンガ５０をレバー５２の下方端部の溝孔５１に掛合させる。このレバー５２は、レバーの長さの中間点あたりの水平軸線の周りに回動自在にし、レバー５２の上方端部に湾曲したフラッグ状部５３を形成する。このフラッグ状部５３は光‐電子センサ５４に隣接させて配置し、アーム４４の運動に応答してセンサに対して相対移動するようにする。フィンガ５０は更に、垂直方向に延在して前方に指向する接触面５５を有する。この接触面５５は、プランジャ掛合機構１０に連結した作用アーム５６の互いに協働する接触面に掛合するよう位置決めする。この位置決めは、例えば、シリンジ３のローディング（装填）又はアンローディング（取り出し）のために、プランジャ掛合機構１０が最も後方位置にあるとき、作用アーム５６がアーム４４のフィンガ５０に掛合し、パッド４１を後方に移動するよう構成配置する。
【００１１】
従って、作用にあたり、シリンジ３をローディングするためにポンプをセットするとき、突耳クランプ機構４０は開放され、シリンジを窪み２内に自由に装填できるようになる。プランジャ掛合機構１０が前方に移動してプランジャヘッド３６に掛合すると即座に、作用アーム５６はアーム４４から離脱し、ばね４９がパッド４１をシリンジ胴部３０の突耳３３の後面に接触させることができる。このことによって突耳３３を、及びシリンジ３を所定位置にクランプする。シリンジ３が適正にローディングされた場合には、アーム４４及びフラッグ状部５３は規定された位置に存在し、従って、センサ５４は、適正シリンジローディング状態を表す出力を制御ユニット１１に供給する。この状態でポンプは正常な作動を続行する。しかし、シリンジ３が不適正にローディングされた場合、例えば、突耳３３が壁３７に対して適正に位置決めされなかった場合、アーム４４は適正休止位置を越えて移動せず、この適正位置を越えた移動を阻止される。いずれにせよ、制御ユニット１１はセンサ５４から不適正出力を認識し、ポンプのそれ以後の動作を禁止する。制御ユニット１１はディスプレイ１３にも出力を発生し、ユーザーに不適正シリンジローディングを知らせる。
【００１２】
【発明の効果】
本発明によるシリンジポンプは、不適正なシリンジローディング状態を即座に警報し、従って、このことによって生ずる可能性のある問題の危険性を減少することができる。
【図面の簡単な説明】
【図１】  ポンプの簡素化した正面図である。
【図２】  ボルトの一部の斜視図である。
【符号の説明】
１  外側ハウジング
２  窪み
３  シリンジ
５  注入ライン
７  駆動機構
８  リードねじ
９  モータ
10  プランジャ掛合機構
11  制御ユニット
12  キーパッド
13  ディスプレイ
30  シリンジ胴部
31  ノーズ
32  環状突出部
33  突耳
34  薬液
35  プランジャ
36  ヘッド
37  垂直壁
40  クランプ機構
41  パッド
42  Ｖ字状上面
43  前面
44  クランプアーム
45  関節継手
46  前方部分
47  後方部分
48  枢着継手
49  ばね
50  フィンガ
51  溝孔
52  レバー
53  フラッグ状部
54  光‐電子センサ
55  接触面
56  作用アーム
【図１】
0004154109.tif 000002
【図２】
0004154109.tif 000003